(57)【特許請求の範囲】
【請求項１】
窓ガラスの濡れ検出装置であって、
回路ボードに載置される少なくとも１つの送信器を有するビーム送信装置を有し、
前記窓ガラスに結合可能で実質的に前記回路ボードに対して平行に配向されるビーム導波体を有し、該ビーム導波体は送信されるビームを受け入れるためのビーム入射面及び該ビームを射出するためのビーム射出面を有し、
この射出されるビームを受信する、同様に前記回路ボードに載置される少なくとも１つの受信器を有するビーム受信装置を有する、窓ガラスの濡れ検出装置において、
前記ビーム入射面（３）及び/又は前記ビーム射出面（５）は、前記ビーム導波体（４）の、前記回路ボード（１２）に向かって平行な側面に配置されており、
前記送信器（１）乃至は受信器（２）の光学軸は前記ビーム入射面（３）乃至は前記ビーム射出面（５）に対して垂直に配向されており、
前記ビーム導波体（４）は少なくとも１つの入射側の偏向面乃至は射出側の偏向面（６、６′）を有し、該少なくとも１つの入射側の偏向面乃至は射出側の偏向面（６、６′）によって前記ビーム導波体（４）に入射されるビームは該ビーム導波体（４）の内部に直角に導かれ乃至は該ビーム導波体（４）から前記受信器（２）へと射出されるビームは該ビーム導波体（４）の内部から直角に導かれ、
少なくとも１つの送信器（１）及び少なくとも１つの受信器（２）はＳＭＤ構成要素として形成され、
寸法的にはビーム導波体のほぼ外寸に相応するただ１つの回路ボードが使用されることを特徴とする、窓ガラスの濡れ検出装置。
【請求項２】
ビーム入射面（３）及び/又はビーム射出面（５）は、収束レンズとして形成されていることを特徴とする請求項１記載の装置。
【請求項３】
ビーム入射面（３）及びビーム射出面（５）の収束レンズはフレネルレンズとして又は平面上に配置された複数の個々のレンズエレメント（３．１）として形成されるか、
もしくは、前記ビーム入射面（３）及び前記ビーム射出面（５）にはこれら２種類の収束レンズが相互に別々に設けられるかのいずれかであることを特徴とする請求項２記載の装置。
【請求項４】
偏向面（６、６′）は、ビーム導波体（４）の、回路ボード（１２）から離れた側面に設けられており、
さらに前記偏向面（６、６′）は、前記回路ボード（１２）を側面から見た場合には、該回路ボード（１２）の平面に対して４５°の角度で傾斜していることを特徴とする請求項１から３までのいずれか１項記載の装置。
【請求項５】
ビーム導波体（４）は複数の偏向反射面（７、８、７′、８′）を有し、該複数の偏向反射面（７、８、７′、８′）によって、送出されたビームが入射側部分区間（４．１）で窓ガラス（１１）へと導かれさらに該窓ガラス（１１）から出てくるビームが射出側部分区間（４．２）で射出側の偏向面（６′）へと導かれ、
前記偏向反射面（７、８、７′、８′）のうちの少なくとも１つ及び/又は前記偏向面（６、６′）のうちの少なくとも１つは、ビームを収束させるために又はビームを発散させるために外側へ凸面状に乃至は内側へ凹面状に湾曲されており、反射は全反射によって保持されたままであることを特徴とする請求項１から４までのいずれか１項記載の装置。
【請求項６】
湾曲部はトーリック(toric)であることを特徴とする請求項５記載の装置。
【請求項７】
複数の送信器（１）が設けられており、該複数の送信器（１）に対してビーム入射面（３）上にそれぞれ別個のレンズエレメント（３．１）が割り当てられており、
受信器（２）が設けられており、該受信器（２）に対してビーム射出面（５）上にフレネルレンズが割り当てられていることを特徴とする請求項３から６までのいずれか１項記載の装置。
【請求項８】
収束レンズは球面状に形成されていることを特徴とする請求項２から７までのいずれか１項記載の装置。
【発明の詳細な説明】
従来技術
本発明は、窓ガラス、例えば自動車のウインドシールドガラスの濡れ検出装置であって、
回路ボードに載置される少なくとも１つの送信器を有するビーム送信装置を有し、窓ガラスに結合可能な実質的に回路ボードに平行に配向されるビーム導波体を有し、このビーム導波体は送信されるビームを受け入れるためのビーム入射面及びこのビームを射出するためのビーム射出面を有し、この射出されるビームを受信する、同様に回路ボードに載置される少なくとも１つの受信器を有するビーム受信装置を有する、窓ガラス、例えば自動車のウインドシールドガラスの濡れ検出装置に関する。
このような装置はドイツ特許公開第４４０６３９８号公報から公知である。自動車のウインドシールドガラスに取り付けられる雨センサの形式のこの公知の装置では、透過性の光ファイバの平坦な長手方向平面に対して平行に回路ボードが配置されている。この光ファイバによって光が窓ガラスに入力結合されこの窓ガラスから出力結合される。この回路ボードは弾力性のある接続線路によって第２のボードに接続されている。この回路ボード上には取り付け金具で支承されて送信器と受信器とが接続されている。この送信器及び受信器は、その光送信素子乃至は光受信素子によって回路ボード平面に対して平行に設けられた光ファイバのほぼ中心面にまで突出している。これにより送信器及び受信器の光学軸は同様に実質的に光ファイバの中心面に位置し、この結果、光を光ファイバに入力結合したりこの光ファイバから出力結合したりすることができる。送信器及び受信器のこのような装置は比較的大きな構成空間及び製造の際の付加的な組立工程を必要とする。また光ファイバ乃至はビーム導波体に対する送信器及び受信器の正確な位置決めに配慮しなければならない。
本発明の利点
本発明の課題は、より簡単に製造でき場所を取らない構造を有する冒頭に挙げたような装置を提供することである。
上記課題は、請求項１の特徴部分記載の構成によって解決される。これにより、ビーム入射面及び/又はビーム射出面は、回路ボードに向かって平行なビーム導波体の側面に配置されており、送信器乃至は受信器の光学軸はビーム入射面乃至はビーム射出面に対して垂直に配向されており、さらにビーム導波体は少なくとも１つの入射側の偏向面乃至は射出側の偏向面を有し、この少なくとも１つの入射側の偏向面乃至は射出側の偏向面によってビーム導波体に入射されるビームはこのビーム導波体の内部に直角に導かれ乃至はこのビーム導波体から受信器に射出されるビームはこのビーム導波体の内部から直角に導かれ、少なくとも１つの送信器及び少なくとも１つの受信器はＳＭＤ構成要素として形成され、寸法的にはビーム導波体のほぼ外寸に相応するただ１つの回路ボードが使用される。この手段によって面倒な取り付け金具なしでボード上に送信器及び/又は受信器を配置することができ、この結果正確な位置決めも簡単なやり方で保証される。この場合、ビーム導波体はこれまでと同様に相応する形成によって簡単に製造できる。この構造はより簡単な製造の他に装置全体の所要面積節減及び小型化をもたらし、他の手段も利用することによってただ１つの回路ボードで済ませることができる。
少なくとも１つの送信器及び少なくとも１つの受信器がＳＭＤ構成要素として形成される場合、他の電気的構成要素を取り付けるのと同じ作業工程において回路ボードに送信器及び受信器を装備することができる。これによって、製造はさらに簡略化される。この際、さらに送信器及び受信器の非常に正確な位置決めが行われる。
ビーム入射面及び/又はビーム射出面が収束レンズとして形成されるという手段によって次のことができるようになる。すなわち、送信器及び受信器をビーム入射面乃至はビーム射出面から短い距離をおいて位置決めすることができ、送信器から放射されそして受信器に入射するビーム束が事実上完全に検出されるようになる。送信器とビーム入射面との間の距離乃至は受信器とビーム射出面との間の距離は次のような手段によってさらに短縮することができる。すなわち、ビーム入射面及びビーム射出面の収束レンズがフレネルレンズとして又は平面上に配置される複数の個々のレンズエレメントとして形成されるか、もしくはビーム入射面及びビーム射出面にはこれら２種類の収束レンズが相互に別々に設けられるかのいずれかの手段によって、送信器とビーム入射面との間の距離乃至は受信器とビーム射出面との間の距離はさらに短縮することができる。この場合、送信器エレメント乃至は受信器エレメントが非常に小さい場合には、例えばビーム入射面に個々のレンズエレメントを設けビーム射出面にフレネルレンズを設けてもよいし又はこれとは逆に設けてもよい。この場合、個々のレンズエレメントは、相応に割り当てられる多くの送信器エレメント乃至は受信器エレメントを回路ボード上に配置することを可能にする。この結果、送信乃至は受信されるビームの全ビーム出力は相応に大きくなる。
ビーム導波体の簡単な形成は次のことによって達成される。すなわち、偏向面が回路ボードから離れたビーム導波体の側面に設けられており、さらに偏向面が、回路ボードを側面から見た場合には、この回路ボード平面に対して４５°の角度で傾斜していることによって達成される。
ビームのガイド及びビーム束を送信器、光ファイバ及び受信器の幾何学的配置に最適に適合させるさらに別の方法は、次のことによって可能になる。すなわち、ビーム導波体は複数の偏向反射面を有し、これらの複数の偏向反射面によって、送信されたビームが入射側部分区間で窓ガラスへと導かれこの窓ガラスから出てくるビームが射出側部分区間で射出側の偏向面へと導かれ、さらにこれらの複数の偏向反射面のうちの少なくとも１つ及び/又は偏向面はビームを収束又は発散させるために外側へ凸面状に乃至は内側へ凹面状に湾曲されており、反射は全反射によって保持されたままであることによって可能となる。この場合、ビームの集束及び発散は湾曲部をトーリック（toric）に形成することによって達成される。
目下のところ入手可能な構成要素による有利な構造は、例えば複数の送信器が設けられており、この複数の送信器に対してビーム入射面上にそれぞれ別個のレンズエレメントが割り当てられており、さらに受信器が設けられており、この受信器に対してビーム射出面上にフレネルレンズが割り当てられていることによって構成される。
光学的構造を簡略化することは、収束レンズを球面状に形成することによって達成される。
本発明を次に実施例に基づいて図面を参照しながら詳しく説明する。
図１は窓ガラスに結合された状態の窓ガラスの濡れ検出装置の正面図である。
図２は図１の装置の側面図である。
図３は複数の個々のレンズエレメントを有するビーム入射面又はビーム射出面である。
図１に示された装置は、ビーム路に対して入射側の部分区間４．１と射出側の部分区間４．２とを有するビーム導波体４を有している。これらの入射側部分区間４．１及び射出側部分区間４．２はそれぞれ窓ガラス１１の外側のシリコンクッション１０を介してこの窓ガラス１１に結合されている。このため、（矢印で示されている）ビーム路は入射側部分区間４．１とこの入射側部分区間４．１から間隔をおいて設けられた射出側部分区間４．２との間の領域の窓ガラス１１の内部を通過する。シリコンクッション１０に隣接して入射側部分区間４．１及び射出側部分区間４．２は適当な結合面９を有する。ビームをガイドするために、ビーム導波体４はさらに第１の偏向反射面７、８及び第２の偏向反射面７′、８′を有する。これら第１の偏向反射面７、８及び第２の偏向反射面７′、８′によってビームは図１のようにこの図の平面上で偏向される。
さらにビーム導波体４の入射側部分区間４．１及び射出側部分区間４．２はその入射領域乃至は射出領域に偏向面６乃至は６′を有する。この偏向面６乃至６′は、図１において図の平面に対して垂直に入射するビームをビーム導波体４の中へ偏向させ乃至はこのビーム導波体４から出てくるビームをこの図の平面に対して垂直に偏向させる。入射側偏向面６及び射出側偏向面６′の配向は、平面図である図２から見て取れる。図２によれば、ビーム導波体４の裏側の平面に対して平行に回路ボード１２が配置されており、この回路ボード１２に送信器１及び受信器２がここではＳＭＤ技術によって取り付けられている。この送信器に対して比較的小さい距離ｘ２で入射側部分区間４．１のビーム入射面３が対向配置されている。そして同様に受信器２に対して比較的小さい距離ｘ１で射出側部分区間４．２のビーム射出面が対向配置されている。送信器１から送信されるビームは、回路ボード１２の平面に対して４５°の角度で配向された入射側偏向面６に当たって直角にビーム導波体４へと偏向される。この結果、図１で示したように、ビームは回路ボード１２の平面に対して平行にこのビーム導波体４を通って射出偏向面６′までガイドされる。この射出側偏向面６′は同様に回路ボード１２の平面に対して４５°の角度で配向されている。この射出側偏向面６′に当たって直角に偏向されたビームはビーム射出面５を介して相応に位置決めされた受信器２に到達する。図２に示された偏向面６、６′は回路ボード１２と同様にこの図の平面に対して垂直に配向されている。
送信器１から送信されるビーム束を完全に捕捉し最適に利用しさらにビーム導波体へとガイドするために、ビーム入射面３は外側へ弓なりに湾曲した収束レンズとして形成されている。またビーム射出面５もビーム導波体４から出てくるビームを完全に受信器２へとガイドするために、外側へ弓なりに湾曲した収束レンズとして形成されている。しばしば、ＳＭＤ技術で構成される送信器１は比較的小さい。このため、ビーム導波体４に入力結合されるビーム出力を高めるために、複数の、例えば４つの送信器エレメントを取り付けることは有利である。ビーム入射面３は、その場合、図３に図示されているように、個々の送信器エレメントに割り当てられるレンズエレメント３．１を有する。これらレンズエレメント３．１は、大きさ、湾曲及び送信器１からの距離において、送出されるビーム束に相応するように形成され配置される。同様に複数の受信器エレメントも設けてもよく、射出側の偏向面６′には入射側の偏向面６のような相応のレンズエレメントが設けられる。しかし、通常ＳＭＤ技術で入手可能なフォトダイオードの形の受信器は、その寸法において送信器ダイオードとして形成される送信器１よりも大きい。ビーム射出面５の形成には、この場合でも他の場合でもこの収束レンズをフレネルレンズとして形成することが有利である。この結果、相当大きな湾曲及び収束特性乃至は集束特性にもかかわらず、全体的に比較的平坦な構造が得られる。必要な場合にはビーム入射面３もフレネルレンズ構造として形成してもよい。全ての収束レンズは製造を簡略化するために球面状に形成される。というのも、正確な結像特性よりも光を均一に制御可能にガイドすることの方が重要だからである。
ビーム導波体４によってガイドされるビーム束を発散又は収束するために、入射側の偏向面６及び射出側の偏向面６′ならびに第１の及び第２の偏向反射面７、８、７′及び８′は同様に凸面状に又は凹面状に、例えばトーリックに湾曲される。またこれらの面のうちのただ１つのみがビーム形成のために相応の湾曲を有してもよい。例えば、ビーム導波体の入射側部分区間４．１において負のトーリック面、すなわち内側に湾曲した面によって発散が得られる。そしてビーム導波体４の射出側部分区間４．２において正のトーリック面、すなわち外側へ湾曲した面によってビーム束の収束が得られる。この結果、ビーム導波体を最適に利用し受信器２へと集束させることができる。
ＳＭＤ技術による送信器１及び受信器２の構成及び配置によって、他の構成要素を載置するのと同一の作業工程において回路ボードに簡単にこの送信器１及び受信器２を装備することができる。この場合、送信器１及び受信器２の位置決め及び配向は常に非常に正確であり、このためこれに関しては付加的な手段は必要ない。また送信器１及び受信器２の配置及び比較的小さい寸法によって、信号処理に使用される他の電気的構成要素のための回路ボード１２上のより大きな場所とより有利な位置決めの可能性とが生じる。上述の手段によって、寸法的にはビーム導波体のほぼ外寸に相応するただ１つの回路ボードを使用すればよいことがわかる。
【図１】
0003916668.tif 000002
【図２】
0003916668.tif 000003
【図３】
0003916668.tif 000004